(57)【要約】      （修正有）【課題】中身を取り出した後も置物として、又はゲームをして楽しめる紙製の蓋付き包装容器を提供する。【解決手段】包装容器の本体でゴールポストをデザイン構成し、包装容器の内壁面や蓋の内面には、競技者を切れ目と支辺とからなる内面に描いて、支辺に沿って折り曲げて立てる折り曲げ片を構成し、ボールの連続模様を施した包み紙を丸めてボールを構成する。【選択図】図１
0003164342.tif 000002
【実用新案登録請求の範囲】
【請求項１】
包み紙が巻かれた紙製の蓋付き包装容器において、
前記包装容器本体は、直方体構造であり、前記直方体構造をゴールポストに見立てて、ゴールネットのデザインが施されており、
蓋の裏面には、切れ目と支辺とで囲まれた面内に競技者のデザインが施された第一折り曲げ片が構成され、前記第一折り曲げ片は、支辺に沿って折り曲げて立てられる構造になっていることを特徴とする包み紙が巻かれた紙製の蓋付き包装容器。
【請求項２】
前記包み紙は、サッカーボール、水球ボール、ハンドボール、ラクロスボール、アイスホッケーの使用ボール、ポロの使用ボールから選択される１種の図柄が連続模様として施されており、前記包み紙を丸めると、連続模様が表面に現れて紙製のボールになることを特徴とする請求項1に記載の包み紙が巻かれた紙製の蓋付き包装容器。
【請求項３】
前記包装容器本体の内面には、切れ目と支辺とで囲まれた第二折り曲げ片が構成され、前記第二折り曲げ片は、支辺に沿って折り曲げて立てられる構造になっていることを特徴とする請求項1〜２のいずれか１項に記載の包み紙が巻かれた紙製の蓋付き包装容器。
【考案の詳細な説明】
【技術分野】
【０００１】
本考案は、包み紙が巻かれた紙製の蓋付き包装容器に関する。
【背景技術】
【０００２】
従来のお土産用、お菓子やギフト等の包装用として用いられる紙製の蓋付き包装容器は、商品である中身を取り出した後は、捨てられることが多く、使用されるとしても、アクセサリーや雑貨等の小物入れとして使用される程度であった。また、紙製の蓋付き包装容器に巻かれた包み紙の使用方法も乏しく、何かに使用しようと綺麗に折りたたんでそのままになっているか、一部のコレクターを除いては、捨てられていた。
【特許文献１】実願２００８−２４５７号公報
【特許文献２】特開平８−１４３０２８号公報
【考案の開示】
【考案が解決しようとする課題】
【０００３】
そのため、入れ物としての用途以外に利用価値は低いため、中身以外に付加価値を付ける事で購買意欲を上げ、すぐに捨てられることなく２次的利用されることでエコロジーに繋がるような工夫が収納箱に望まれていた。
【０００４】
そして、特に包装容器の本体内面や蓋の内面や、包み紙に施す模様を利用すれば、これまでに無い商品を提供できる可能性があることに着目した。
【０００５】
本考案は、上記の問題点に斯かる実情に鑑みなされたもので、中身を取り出した後も置物や、ゲームとして楽しめる紙製の蓋付き包装容器を提供することを課題とする。
【課題を解決するための手段】
【０００６】
請求項１に記載の考案は、包み紙が巻かれた紙製の蓋付き包装容器において、前記包装容器本体は、直方体構造であり、前記直方体構造をゴールポストに見立てて、ゴールネットのデザインが施されており、蓋の裏面には、切れ目と支辺とで囲まれた面内に競技者のデザインが施された第一折り曲げ片が構成され、前記第一折り曲げ片は、支辺に沿って折り曲げて立てられる構造になっていることを特徴とする。
【０００７】
請求項２に記載の考案は、包み紙は、サッカーボール、水球ボール、ハンドボール、ラクロスボール、アイスホッケーの使用ボール、ポロの使用ボールから選択される１種の図柄が連続模様として施されており、前記包み紙を丸めると、連続模様が表面に現れて紙製のボールになることを特徴とする。
【０００８】
請求項３に記載の考案は、包装容器本体の内面には、切れ目と支辺とで囲まれた第二折り曲げ片が構成され、前記第二折り曲げ片は、支辺に沿って折り曲げて立てられる構造になっていることを特徴とする。
【考案の効果】
【０００９】
請求項１に記載の考案によれば、球技の内、敵のゴールネットにボールを入れることで得点を競うスポーツのゴール前のシーンを、紙製の包装容器の本体と蓋の内面の折り曲げ片を利用して立体的に表現できる。
【００１０】
請求項２に記載の考案によれば、包み紙を利用して、紙製のボールを再現し、前記ボールを、一定の距離からゴールに向けて、指で弾き、ゴールして遊ぶことができる。
【００１１】
請求項３に記載の考案によれば、包装容器の内側面にも、折り曲げ片を障害壁として立てらせることで、指で弾かれたボールが、蓋の内面に設けた競技者の障害壁を抜けたとしても、ゴールにならない意外性を楽しむことができる。
【考案を実施するための最良の形態】
【００１２】
包み紙が巻かれた紙製の蓋付き包装容器において、前記包装容器本体をゴールポストに見立てて、ゴールネットのデザインを施し、蓋の裏面には、切れ目と支辺とで囲まれた面内に競技者のデザインが施された第一折り曲げ片を構成し、前記第一折り曲げ片は、支辺に沿って折り曲げて立てられる構造にする。
そして、前記包み紙は、サッカーボール、水球ボール、ハンドボール、ラクロスボール、アイスホッケーの使用ボール、ポロの使用ボールから選択される１種の図柄を連続模様として施し、前記包み紙を丸めると、連続模様が表面に現れて紙製のボールになるようにする。
また、前記包装容器本体の内面にも、切れ目と支辺とで囲まれた第二折り曲げ片を構成し、前記第二折り曲げ片は、支辺に沿って折り曲げて立てられる構造にする。
【００１３】
ここで、アイスホッケー使用ボールとは、球技におけるボールに相当するパックと呼ばれる円柱形状の円盤のことである。
【００１４】
また、ここで述べる競技者には、審判者も含まれる。
【実施例１】
【００１５】
以下、図面を参照して本考案に係る紙製の蓋付き包装容器の一実施例を説明する。
図１は、本考案に係る包み紙が巻かれた紙製の蓋付き包装容器でサッカーゲームをしている様子の図である。
図２は、本考案に係る包み紙が巻かれた紙製の蓋付き包装容器の斜面図である。
図３は、本考案に係る包み紙が巻かれた紙製の蓋付き包装容器の、包み紙表紙の図である。
図４は、本考案に係る包み紙が巻かれた紙製の蓋付き包装容器において、包み紙を丸めてサッカーボールにした図である。
図５は、本考案に係る包み紙が巻かれた紙製の蓋付き包装容器において、折り曲げ片を起こした状態の図である。
図６は、本考案に係る包み紙が巻かれた紙製の蓋付き包装容器において、容器本体の内面に設けられた折り曲げ片を起こした状態の図である。
図７は、本考案に係る包み紙が巻かれた紙製の蓋付き包装容器において、蓋の裏面にフリーキックのフォーメーションを施した図である。
【００１６】
まず、本考案で実施する、紙製の蓋付き包装容器には、「折曲げ式」の容器を使用する。「折曲げ式」の容器とは、フラップを折り曲げることにより包装容器本体の開口部を覆う蓋部が形成される箱のことであり、図１のように、フラップ１枚で構成されたものである。
【００１７】
また、後述の折り曲げ片を施す面は、１層でも構わないが、１層であれば折り曲げ片を折り曲げて起こすと、抜き穴を通して背景が見えるため、２層のいわゆる、ダブルウォール構造になっており、そのために、図５のように紙を２つ折りにし、内側に来る面上に切れ目１１と支辺１２とで囲み、支辺１２に沿って折り曲げて立てられる構造にすることが望ましい。
【００１８】
そして、敵のゴールネットにボール７を入れることで得点を競う球技スポーツである、サッカー、水球、ハンドボール、ラクロス、アイスホッケー、ポロの中から題材を決定し、決定した、球技スポーツのゴールポストのネット９を紙製の蓋付き包装容器本体に、競技者を蓋３の裏面に施していく。なお、本実施例では、サッカーで説明をする。
【００１９】
このとき、サッカーのゴールポストのネット９は、図１のように紙製の蓋付き包装容器本体の外側面、内側面に画像や線図で施す。
【００２０】
そして、地面に当たる内側面の部分は、蓋３の裏面に当たる部分と同様の地面模様である芝模様にしておき、最後にゴールラインを入れておく。
【００２１】
さらに、競技者を蓋３の裏面に施す場合、例えば、図１のように、攻撃を再現するには、ゴールキーパー１体とディフェンス、オフェンスを数体入り混ぜて図案化し、競技者毎に切れ目１１と支辺１２とで囲まれた第一折り曲げ片４を構成する。
【００２２】
このとき、第一折り曲げ片４の場所や数は、蓋３の裏面内であれば、特に限定しない。
【００２３】
また、フリーキックを再現するには、図７のように、ゴールキーパー１体と、壁を作っているディフェンス陣数体を図案化し、壁を作っているディフェンス陣数体については、全体で１つの第一折り曲げ片４を構成しても構わない。
【００２４】
そして、第一折り曲げ片４を構成する支辺は、必ずしもゴールラインに対して平行である必要はなく、様々な角度にすることで、折り曲げて立てた時、攻める者と守るものをリアルに立体再現できるとともに、後述するゴールゲームの際、ボール７が折り曲げ片に当たって軌道を変えることにも利用する。
【００２５】
なお、第二折り曲げ片１０は、例えば、図６のように、包装容器本体２の内側面に構成する。そして、実施例では、地面に当たる内側面の部分に１ヶ所構成してあるが、構成場所や第二折り曲げ片の数は特に限定しない。
【００２６】
また、第一折り曲げ片４や第二折り曲げ片１０を構成する支片１２が、紙製の蓋付き包装容器本体を構成する辺の一部又は全部であっても構わない。
【００２７】
次に、紙製の蓋付き包装容器に巻きつける包み紙５には、図３のようにサッカーボールの連続模様６を、表面の一部に施しておく。
【００２８】
ただし、連続模様６は、包み紙の全面に施してもよく、また、裏面に施しても構わない。さらに、連続模様６を背面として、前面に製品名や、商品のイラスト８、遊び方等の説明表記が記載されていても構わない。
【００２９】
最後に、包み紙５を利用してサッカーゴールゲームをする際、包み紙５のサッカーボールの連続模様が表面に現れるように、図４のように丸めてボールをつくり、一定の距離から、指でボールを弾いてゴールして遊び、遊んだ後は畳んでしまうか、そのまま飾って置くことができる。
【００３０】
以上説明したように、好ましい実施例を挙げて本考案を説明したが、本考案はその実施例に限定されるものではなく、本考案の要旨の範囲内で種々に改変できる。
【図面の簡単な説明】
【００３１】
【図１】本考案に係る包み紙が巻かれた紙製の蓋付き包装容器でサッカーゲームをしている様子の図である。
【図２】本考案に係る包み紙が巻かれた紙製の蓋付き包装容器の斜面図である。
【図３】本考案に係る包み紙が巻かれた紙製の蓋付き包装容器の、包み紙表紙の図である。
【図４】本考案に係る包み紙が巻かれた紙製の蓋付き包装容器において、包み紙を丸めてサッカーボールにした図である。
【図５】本考案に係る包み紙が巻かれた紙製の蓋付き包装容器において、折り曲げ片を起こした状態の図である。
【図６】本考案に係る包み紙が巻かれた紙製の蓋付き包装容器において、容器本体の内面に設けられた折り曲げ片を起こした状態の図である。
【図７】本考案に係る包み紙が巻かれた紙製の蓋付き包装容器において、蓋の裏面にフリーキックのフォーメーションを施した図である。
【符号の説明】
【００３２】
１  包み紙が巻かれた紙製の蓋付き包装容器
２  包装容器本体
３  蓋
４  第一折り曲げ片
５  包み紙
６  連続模様
７  ボール
８  商品のイラスト
９  ゴールネットのデザイン
１０  第二折り曲げ片
１１  切れ目
１２  支辺
【図１】
0003164342.tif 000003
【図２】
0003164342.tif 000004
【図３】
0003164342.tif 000005
【図４】
0003164342.tif 000006
【図５】
0003164342.tif 000007
【図６】
0003164342.tif 000008
【図７】
0003164342.tif 000009